(57)【要約】【課題】信頼性を向上する。【解決手段】紙幣出金機１は、紙幣収納庫１１と集積部１６と束搬送ユニット３とを設け、集積部１６は、紙幣を集積する集積空間１６Ｓが内部に形成される集積庫３０と、紙幣収納庫１１から搬送された紙幣を集積空間１６Ｓへ放出する放出部１６Ｊと、放出部１６Ｊから放出された紙幣を集積するステージ１６Ｔと、ステージ１６Ｔを移動させる移動アーム５８と、集積空間１６Ｓに紙幣を放出する際、放出部１６Ｊから放出される紙幣の経路から退避する退避姿勢と、ステージ１６Ｔに集積された紙幣束を束搬送ユニット３へ受け渡す際、紙幣の経路と交差すると共に、紙幣束を束搬送ユニット３へ案内する放出部ガイド前面７８Ｓ１と、放出部１６Ｊから搬送される紙幣をステージ１６Ｔへ案内する放出部ガイド下面７８Ｓ２とを形成する交差姿勢とに遷移可能な放出部ガイド７８とを有する。【選択図】図８
2018088070.tif 000002
【特許請求の範囲】
【請求項１】
紙葉状の媒体を収納する媒体収納庫と、
前記媒体収納庫から繰り出され搬送された前記媒体を集積する集積部と、
前記集積部に集積された媒体束を搬送して利用者に引き渡す束搬送部とを有し、
前記集積部は、
前記媒体を集積する集積空間が内部に形成される集積庫と、
前記媒体収納庫から搬送された前記媒体を前記集積空間へ放出する放出部と、
前記放出部から放出された前記媒体を集積するステージと、
前記ステージに集積された前記媒体を前記束搬送部へ受け渡すよう該ステージを移動させる駆動機構と、
前記集積空間に前記媒体を放出する際、前記放出部から放出される媒体の経路から退避する退避姿勢と、前記ステージに集積された媒体束を前記束搬送部へ受け渡す際、前記経路と交差すると共に、前記媒体束を前記束搬送部へ案内する第１の案内面と、前記放出部から搬送される媒体を前記ステージへ案内する第２の案内面とを形成する交差姿勢とに前記退避姿勢から遷移可能なガイド部材と
を備える媒体引渡装置。
【請求項２】
前記媒体収納庫から前記集積空間へ前記媒体が搬送される集積部搬送路と、
前記集積部搬送路を搬送される前記媒体の下側をガイドする下側搬送ガイド面を形成する下側搬送ガイドと
をさらに有し、
前記ガイド部材は、前記交差姿勢において前記第２の案内面と前記下側搬送ガイド面との間に空間を設けた
請求項１に記載の媒体引渡装置。
【請求項３】
前記ガイド部材は、前記交差姿勢において前記第２の案内面が前記媒体に当接した際に、前記集積部搬送路から搬送された前記媒体の搬送方向を９０度未満の角度で変化させ前記ステージへ案内する
請求項２に記載の媒体引渡装置。
【請求項４】
前記集積部搬送路を搬送される前記媒体の上側をガイドする上側搬送ガイド面を形成する上側搬送ガイドをさらに有し、
前記上側搬送ガイド面と前記第２の案内面とは、前記媒体の搬送方向側の角度が９０度未満で形成される
請求項３に記載の媒体引渡装置。
【請求項５】
前記第２の案内面と前記ステージにおける前記媒体が集積されるステージ面とは、前記媒体の搬送方向の逆側の角度が９０度未満で形成される
請求項４に記載の媒体引渡装置。
【請求項６】
前記第２の案内面は、前記ガイド部材の回動軸であるガイド部材回動軸を中心とする円弧形状である
請求項５に記載の媒体引渡装置。
【請求項７】
前記下側搬送ガイド面における前記集積空間側の端部と前記第２の案内面とを通る接線と、前記ステージ面とは、前記媒体の搬送方向の逆側の角度が９０度未満で形成される
請求項５に記載の媒体引渡装置。
【請求項８】
前記ガイド部材は、前記退避姿勢において、前記第２の案内面における、前記ガイド部材が前記交差姿勢から前記退避姿勢へ遷移する方向である退避移動方向側の端部を、前記上側搬送ガイド面よりも前記退避移動方向側に位置させる
請求項４に記載の媒体引渡装置。
【請求項９】
前記集積空間の上側をガイドする上部ガイドをさらに有し、
前記ガイド部材は、前記ステージから前記束搬送部へ前記媒体束が受け渡される開口を開放させるよう水平方向に沿って開口開放方向へ移動する前記上部ガイドに当接することにより前記退避姿勢から前記交差姿勢へ遷移する
請求項３に記載の媒体引渡装置。
【請求項１０】
前記ガイド部材は、前記退避姿勢と前記交差姿勢との間をガイド部材回動軸を中心に回動する
請求項３に記載の媒体引渡装置。
【請求項１１】
紙葉状の媒体を集積する集積空間が内部に形成される集積庫と、
搬送された前記媒体を前記集積空間へ放出する放出部と、
前記放出部から放出された前記媒体を集積するステージと、
前記ステージに集積された前記媒体を束搬送部へ受け渡すよう該ステージを移動させる駆動機構と、
前記集積空間に前記媒体を放出する際、前記放出部から放出される媒体の経路から退避する退避姿勢と、前記ステージに集積された媒体束を前記束搬送部へ受け渡す際、前記経路と交差すると共に、前記媒体束を前記束搬送部へ案内する第１の案内面と、前記放出部から搬送される媒体を前記ステージへ案内する第２の案内面とを形成する交差姿勢とに遷移可能なガイド部材と
を備える媒体集積受渡機構。
【発明の詳細な説明】
【技術分野】
【０００１】
本発明は媒体引渡装置及び媒体集積受渡機構に関し、例えば媒体としての紙幣を出金する紙幣出金機に適用して好適なものである。
【背景技術】
【０００２】
従来、金融機関等で使用される紙幣出金機においては、利用者（例えば金融機関の顧客）からの要求に応じて紙幣や硬貨等の現金を出金するものが広く普及している。紙幣出金機としては、例えば紙幣を収納する紙幣収納庫と、紙幣を搬送する搬送部と、紙幣を鑑別する鑑別部と、出金可能な紙幣を集積する集積部と、出金すべきで無いリジェクト紙幣を収納するリジェクト収納庫と、集積された紙幣の束を搬送する束搬送部と、利用者に紙幣を引き渡す出金口とを有するものが提案されている（例えば、特許文献１参照）。
【０００３】
そのような紙幣出金機においては、図１７に示すような集積部２１６に紙幣を集積させ紙幣束を図示しない束搬送ユニットへ受け渡し、束搬送ユニットから紙幣を外部へ出金するものがある。集積部２１６は、主に、回動する集積庫３０、ステージ１６Ｔ、上側搬送ガイド６２、下側搬送ガイド４０、上部ガイド２２、放出部ガイド２７８、搬送ローラ４４、受動ローラ４５ａ、放出ローラ４６及び受動ローラ４５ｂにより構成されている。
【０００４】
集積部２１６は、集積庫３０に紙幣を集積する集積動作を行う際、図１７に示すように、集積庫３０をステージ１６Ｔが傾いた状態に、上部ガイド２２を上部ガイド前側状態にする。この状態において放出部ガイド２７８は、放出部ガイド前面２７８Ｓ１が上側搬送ガイド６２の上側搬送ガイド面６２Ｓよりも上側に位置し集積庫３０の集積空間１６Ｓの外部に位置する退避姿勢となっている。続いて集積部１６は搬送ローラ４４、受動ローラ４５ａ、放出ローラ４６及び受動ローラ４５ｂを回転させることにより、上側搬送ガイド６２及び下側搬送ガイド４０に挟まれて形成された集積部搬送路４３から搬送された紙幣を集積空間１６Ｓへ放出し、ステージ１６Ｔに紙幣を集積する。紙幣がステージ１６Ｔに集積されることにより集積動作が終了すると、集積部２１６は、集積庫３０を回転させることにより、図１８に示すように集積庫３０をステージ１６Ｔが水平な状態に、上部ガイド２２を上部ガイド後側状態にする。このとき放出部ガイド２７８は、上部ガイド２２に当接して回動し、集積部搬送路４３から集積空間１６Ｓへ放出される紙幣の搬送経路を交差する交差姿勢となる。
【０００５】
続いて集積部２１６は、ステージ１６Ｔを持ち上げ、図１９に示すステージ受渡状態にする。このステージ受渡状態において、集積部１６は、ステージ１６Ｔに集積された紙幣束Ｗを、形状を崩すことなく束搬送ユニットへ受け渡す。
【０００６】
ここで、紙幣が上昇する際、放出部ガイド２７８は、正常な集積位置よりも後側へ移動した紙幣の後端部に放出部ガイド前面２７８Ｓ１を当接させることにより、位置ずれした紙幣を前方に寄せて位置を矯正しつつステージ１６Ｔにより上昇させる。続いて現金自動取引装置は、出金口へ水平方向に沿って可動キャリアを移動させることにより、紙幣束Ｗを出金する。
【０００７】
このような現金自動取引装置等においては、エラーが発生し装置が停止した場合、保守員による復旧作業が行われる。例えば図２０に示すように紙幣が集積部搬送路４３に残留するエラーが発生した場合、保守員は、図示しないノブを操作して手動で搬送ローラ４４、放出ローラ４６、受動ローラ４５ａ及び受動ローラ４５ｂを回転させ、集積部搬送路４３に残留した紙幣である残留紙幣ＢＬｒを集積空間１６Ｓへ放出させる。続いて保守員は、図示しないトルクリミッタが設けられた上部ガイド２２を手動で後方へ移動させることにより集積空間１６Ｓを露出させ、残留紙幣ＢＬｒを回収する。
【先行技術文献】
【特許文献】
【０００８】
【特許文献１】特開２０１６−１５１８１９号公報
【発明の概要】
【発明が解決しようとする課題】
【０００９】
このように集積部２１６においては、手動で上部ガイド２２が後方へ移動された際に、該上部ガイド２２と連動して放出部ガイド２７８が受渡姿勢（図１７）から交差姿勢（図１８）となる。復旧作業の際、保守員が操作手順を誤り、ノブを操作する前に上部ガイド２２を移動させてしまった場合、放出部ガイド２７８は受渡姿勢（図１７）から図２１に示すような交差姿勢となってしまう。その後ノブを操作され残留紙幣ＢＬｒが送り出されると、図２２に示すように交差姿勢の放出部ガイド２７８と上側搬送ガイド６２との間に残留紙幣ＢＬｒが押し込まれジャムが発生してしまう場合があった。その場合、ジャムが発生し変形した残留紙幣ＢＬｒをその後保守員が回収する際に、残留紙幣ＢＬｒを破いてしまったり、放出部ガイド２７８を破損させてしまったりする可能性があり信頼性が保てないという問題があった。
【００１０】
本発明は以上の点を考慮してなされたもので、信頼性を向上し得る媒体引渡装置及び媒体集積受渡機構を提案しようとするものである。
【課題を解決するための手段】
【００１１】
かかる課題を解決するため本発明の媒体引渡装置においては、紙葉状の媒体を収納する媒体収納庫と、媒体収納庫から繰り出され搬送された媒体を集積する集積部と、集積部に集積された媒体束を搬送して利用者に引き渡す束搬送部とを設け、集積部は、媒体を集積する集積空間が内部に形成される集積庫と、媒体収納庫から搬送された媒体を集積空間へ放出する放出部と、放出部から放出された媒体を集積するステージと、ステージに集積された媒体を束搬送部へ受け渡すよう該ステージを移動させる駆動機構と、集積空間に媒体を放出する際、放出部から放出される媒体の経路から退避する退避姿勢と、ステージに集積された媒体束を束搬送部へ受け渡す際、経路と交差すると共に、媒体束を束搬送部へ案内する第１の案内面と、放出部から搬送される媒体をステージへ案内する第２の案内面とを形成する交差姿勢とに遷移可能なガイド部材とを有するようにした。
【００１２】
また本発明の媒体集積受渡機構においては、紙葉状の媒体を集積する集積空間が内部に形成される集積庫と、媒体収納庫から搬送された媒体を集積空間へ放出する放出部と、放出部から放出された媒体を集積するステージと、ステージに集積された媒体を束搬送部へ受け渡すよう該ステージを移動させる駆動機構と、集積空間に媒体を放出する際、放出部から放出される媒体の経路から退避する退避姿勢と、ステージに集積された媒体束を束搬送部へ受け渡す際、経路と交差すると共に、媒体束を束搬送部へ案内する第１の案内面と、放出部から搬送される媒体をステージへ案内する第２の案内面とを形成する交差姿勢とに遷移可能なガイド部材とを設けるようにした。
【００１３】
本発明は、ガイド部材が交差姿勢の状態で放出部から集積空間へ媒体が搬送された際に該媒体が詰まってしまうことを防止し、ステージに集積させることができる。
【発明の効果】
【００１４】
本発明によれば、信頼性を向上し得る媒体引渡装置及び媒体集積受渡機構を実現できる。
【図面の簡単な説明】
【００１５】
【図１】紙幣出金機の構成を示す右側面図である。
【図２】第１の実施の形態による集積庫集積状態における集積部の構成（１）を示す右側面図である。
【図３】第１の実施の形態による集積庫水平状態における集積部の構成（１）を示す右側面図である。
【図４】第１の実施の形態による束搬送受渡状態における集積部の構成（１）を示す右側面図である。
【図５】第１の実施の形態による集積庫集積状態における集積部の構成（２）を示す右側面図である。
【図６】第１の実施の形態による集積庫水平状態における集積部の構成（２）を示す右側面図である。
【図７】第１の実施の形態による束搬送受渡状態における集積部の構成（２）を示す右側面図である。
【図８】第１の実施の形態による交差姿勢における集積部の構成を示す右側面図である。
【図９】第１の実施の形態によるエラー発生時におけるエラー発生状態の集積部の構成を示す右側面図である。
【図１０】第１の実施の形態によるエラー発生時における上部ガイド手動操作状態の集積部の構成を示す右側面図である。
【図１１】第１の実施の形態によるエラー発生時におけるローラ手動操作状態の集積部の構成（１）を示す右側面図である。
【図１２】第１の実施の形態によるエラー発生時におけるローラ手動操作状態の集積部の構成（２）を示す右側面図である。
【図１３】第１の実施の形態によるエラー発生時における残留紙幣集積状態の集積部の構成を示す右側面図である。
【図１４】第２の実施の形態による交差姿勢における集積部の構成を示す右側面図である。
【図１５】第１の実施の形態による途中姿勢における集積部の構成を示す右側面図である。
【図１６】第２の実施の形態による途中姿勢における集積部の構成を示す右側面図である。
【図１７】従来の集積庫集積状態における集積部の構成を示す右側面図である。
【図１８】従来の集積庫水平状態における集積部の構成を示す右側面図である。
【図１９】従来の束搬送受渡状態における集積部の構成を示す右側面図である。
【図２０】従来のエラー発生時におけるエラー発生状態の集積部の構成を示す右側面図である。
【図２１】従来のエラー発生時における上部ガイド手動操作状態の集積部の構成を示す右側面図である。
【図２２】従来のエラー発生時におけるローラ手動操作状態の集積部の構成を示す右側面図である。
【発明を実施するための形態】
【００１６】
以下、発明を実施するための形態（以下実施の形態とする）について、図面を用いて説明する。
【００１７】
［１．第１の実施の形態］
［１−１．紙幣出金機の構成］
図１に示すように、第１の実施の形態による紙幣出金機１は、例えば金融機関等に設置され、利用者（すなわち金融機関の顧客）の操作に応じて紙幣を出金する。この紙幣出金機１は、大きく分けて下側の収納ユニット２及び上側の束搬送ユニット３により構成されており、さらに全体を制御する制御部４が組み込まれている。以下では、紙幣出金機１のうち顧客が対峙する側を前側とし、その反対を後側とし、該前側に対峙した顧客から見て左及び右をそれぞれ左側及び右側とし、さらに上側及び下側を定義して説明する。
【００１８】
［１−２．収納ユニットの構成］
収納ユニット２は、直方体状の収納筐体１０内に、紙幣に関する種々の処理を行う複数の部分が組み込まれており、紙幣を収納すると共に、利用者に引き渡すべき紙幣を集積して紙幣束を生成する。この収納筐体１０内には、４個の紙幣収納庫１１、搬送部１３、鑑別部１４、集積部１６及びリジェクト収納庫１７が設けられている。
【００１９】
紙幣収納庫１１は、収納筐体１０の後側における上下方向の中央から下側にかけて、互いに積み重なるように取り付けられている。各紙幣収納庫１１は、上下方向に短く前後方向に長い扁平な直方体状に形成されており、その内部に、紙面を前後方向に向けて前後方向に沿って並んだ状態で、紙幣を収納する。
【００２０】
搬送部１３は、図示しないローラやベルト、或いはこれらを駆動するモータ等により、紙幣を搬送する経路である搬送路を構成している。この搬送路は、図中に実線で示すように、各紙幣収納庫１１と集積部１６及びリジェクト収納庫１７とを接続している。搬送部１３は、各紙幣収納庫１１から繰り出された紙幣を、短辺に沿う方向を進行方向に沿わせて概ね上方向へ進行させる。
【００２１】
鑑別部１４は、搬送部１３の搬送路に沿って設けられ、内部に複数種類のセンサが組み込まれており、各センサから得られた情報を基に、搬送される紙幣の金種や走行状態等を鑑別し、その鑑別結果を制御部４へ供給する。制御部４は、得られた鑑別結果を基に、各紙幣の搬送先を決定する。具体的に制御部４は、出金すべき正常な紙幣の搬送先を集積部１６に、出金すべきで無い紙幣（以下これをリジェクト紙幣と呼ぶ）の搬送先をリジェクト収納庫１７に、それぞれ決定する。
【００２２】
集積部１６は、収納筐体１０内における最も上側の前側に位置しており、内部に紙幣を集積する空間である集積空間１６Ｓを形成している。この集積部１６は、集積空間１６Ｓ内に、上面に紙幣を集積するステージ１６Ｔを有している。ステージ１６Ｔは、上下方向に薄い板状に形成されており、前後方向及び左右方向の長さが、紙幣における短辺及び長辺の長さよりもそれぞれ長くなっている。またステージ１６Ｔは、図３及び図６に示す集積庫水平状態において水平方向に沿う平面である図６に示すステージ面１６ＴＳが上面に形成されている。
【００２３】
また集積部１６における後側上寄りには、搬送部１３から搬送されてきた紙幣を集積空間１６Ｓ内へ放出する放出部１６Ｊが設けられている。このため集積部１６は、搬送部１３から搬送され放出部１６Ｊにより集積空間１６Ｓ内へ放出された紙幣を、ステージ面１６ＴＳ（図６）上に集積させる。このときステージ１６Ｔ上に集積された紙幣は、束状に積み重ねられている。以下では、このように積み重ねられた紙幣を紙幣束とも呼ぶ。
【００２４】
さらにステージ１６Ｔは、後述する駆動モータ及び集積部駆動伝達機構の駆動力により上下方向へ移動する。また集積部１６の上面には、上下方向に貫通する集積孔１６Ｈが穿設されている。集積孔１６Ｈにおける前後方向の長さは、ステージ１６Ｔにおける前後方向の長さよりも僅かに長くなっている。この集積孔１６Ｈは、収納筐体１０の上面も貫通しており、集積空間１６Ｓと収納筐体１０よりも上側の空間とを連通させている。このため集積部１６は、ステージ１６Ｔに紙幣束を載置した状態で該ステージ１６Ｔを上方へ移動させることにより、該ステージ１６Ｔ及び紙幣束を収納筐体１０の上面よりも上側まで持ち上げる。
【００２５】
リジェクト収納庫１７は、収納筐体１０内における最も上側の後側に位置しており、搬送部１３から搬送されたリジェクト紙幣と、束搬送ユニット３から落下した取忘れ紙幣束とを内部に収納する。またリジェクト収納庫１７の上面には、上下方向に貫通する取込孔１７Ｈが穿設されている。この取込孔１７Ｈは、収納筐体１０の上面も貫通しており、リジェクト収納庫１７内部の空間と収納筐体１０よりも上側の空間とを連通させている。
【００２６】
収納筐体１０における、後述する束搬送筐体２０内の上側搬送ベルト２１よりも下側部分の後ろ寄りには、上部ガイド２２が設けられている。上部ガイド２２は、上下方向に薄い扁平な直方体状に形成されており、その上面を上側搬送ベルト２１の下面と対向させている。この上部ガイド２２は、その下面が集積部１６の上部ガイドを形成し、その上面が束搬送路３Ｙの下側の搬送ガイドを形成している。また上部ガイド２２は、後述する駆動モータ及びガイド駆動伝達機構により、前後方向へ移動する。
【００２７】
［１−３．束搬送ユニットの構成］
束搬送ユニット３は、全体として、上下方向に短く前後方向に長い、扁平な直方体状に形成されており、前後方向の長さが収納ユニット２よりも長くなっている。束搬送ユニット３は、直方体状の束搬送筐体２０内に、紙幣束を搬送するための種々の機構が設けられている。
【００２８】
束搬送筐体２０内における上側部分には、左右に間隔を空けて２本の上側搬送ベルト２１が設けられている。上側搬送ベルト２１は、前端近傍及び後端近傍にそれぞれ配置されたローラの周囲に掛け回された無端ベルトであり、このローラが回転することにより、その下面を水平方向に沿った前後方向に沿って走行させる。説明の都合上、以下では、上側搬送ベルト２１における下面部分の走行方向を、該上側搬送ベルト２１の走行方向と見なす。
【００２９】
束搬送筐体２０内における上側搬送ベルト２１よりも下側部分における前側には、出金口搬送ガイド２４が設けられている。出金口搬送ガイド２４は、上下方向に薄い扁平な直方体状に形成されており、その上面を上側搬送ベルト２１の下面と当接させている。
【００３０】
束搬送ユニット３内には、上側搬送ベルト２１と、ステージ１６Ｔ、上部ガイド２２及び出金口搬送ガイド２４とにより上下方向から挟まれ水平方向に沿う束搬送路３Ｙが形成される。
【００３１】
また束搬送ユニット３内には、押出機構としての可動キャリア２５が設けられている。可動キャリア２５は、その一部を上側搬送ベルト２１の下面よりも下方に突出させており、図示しない移動機構により、前後方向に沿って、すなわち束搬送路３Ｙに沿って移動する。すなわち可動キャリア２５は、出金方向（前方）へ移動することにより紙幣束の束ずれや紙幣残留等を防止しつつ前後方向である搬送方向に沿って該紙幣束の後端を押す一方、取込方向（後方）へ移動することにより紙幣束の束ずれや紙幣残留等を防止しつつ該紙幣束の前端を押す。この可動キャリア２５は、左右方向に関し離散的な数カ所のみ上側搬送ベルト２１の下面よりも下方へ突出させている。また上部ガイド２２、出金口搬送ガイド２４及びステージ１６Ｔには、この可動キャリア２５に応じて前後方向に沿った隙間や溝（図示せず）が形成されており、可動キャリア２５と干渉しないようになっている。このため可動キャリア２５は、束搬送路３Ｙ内に紙幣束がある場合、これを前後方向へ押して進行させる。
【００３２】
束搬送筐体２０の前端には、束搬送路３Ｙ内を前方へ搬送されてきた紙幣束を利用者に引き渡す出金口２６が形成されている。
【００３３】
［１−４．集積部の構成］
図２乃至図７に示すように、集積部１６は、主に、ステージ１６Ｔ、集積庫３０、搬送ローラ４４、受動ローラ４５ａ、放出部１６Ｊ、集積庫フレーム４２、移動アーム５８及び駆動モータ（図示せず）により構成されている。なお図５乃至図７は、説明の都合上、束搬送ユニット３の一部と移動アーム５８等とを図示せず省略する。
【００３４】
集積庫３０は、断面が略Ｕ字（コ字）形状の部材で形成されており、それぞれ前側、下側、右側、左側及び後側の各側面を形成する集積庫前側壁３０Ｆ、集積庫底板３０Ｄ、集積庫右側壁（図示せず）、集積庫左側壁（図示せず）及び集積庫後側壁３０Ｂにより、紙幣を集積する空間である集積空間１６Ｓを形成している。この集積庫３０は、駆動モータ（図示せず）、集積部駆動伝達機構（図示せず）及び移動アーム５８により、集積庫フレーム支点４２Ｓを支点として右側面視時計回り及び反時計回りに回動可能に構成されている。
【００３５】
集積庫後側壁３０Ｂは、後述する集積庫水平状態及び束搬送受渡状態において上下方向に延設された板状部材で構成されている。集積庫後側壁３０Ｂにおいて集積空間１６Ｓ（図２）と対向する前側には、集積庫水平状態及び束搬送受渡状態においてステージ移動方向に沿う平面である紙幣整列面が形成されている。このような、紙幣の搬送方向と紙幣の紙面に沿う方向とに直交する左右方向である搬送幅方向に離散的に連続する紙幣整列面により、紙幣束の後端を揃える集積庫後側壁３０Ｂの前壁面が形成されている。このため集積庫後側壁３０Ｂは左右方向に沿って櫛歯状に形成されている。
【００３６】
集積庫３０（図２）内部には、紙幣を集積する平板状のステージ１６Ｔが、移動アーム５８により上下方向であるステージ移動方向に沿って上方向（持上方向）及び下方向（持下方向）に昇降移動可能に設けられている。
【００３７】
放出部１６Ｊの上方及び後方には、上側搬送ガイド６２が設けられている。上側搬送ガイド６２において後述する下側搬送ガイド面４０Ｓと対向する下面には、後方から前方へ向かうに連れて上方へ直線状に傾斜する平面である上側搬送ガイド面６２Ｓが形成されている。上側搬送ガイド面６２Ｓは、搬送される紙幣の上面と対向することにより、紙幣をガイドすると共に、放出部１６Ｊから集積空間１６Ｓ内へ放出される紙幣の上面と対向することにより、該紙幣が上方へ舞い上がることを防止しステージ１６Ｔ上に安定的に集積させる。
【００３８】
集積部１６の後方には、側面視で略Ｌ字形状であり紙幣をガイドする下側搬送ガイド４０が可動しないよう設けられている。下側搬送ガイド４０は、搬送路側下側搬送ガイド４０Ａ、集積部側下側搬送ガイド４０Ｂ及び下側搬送ガイド屈曲部４０Ｃが形成されている。搬送路側下側搬送ガイド４０Ａは、放出部１６Ｊの後方に設けられ、後方から前方へ向かうに連れて上方へ直線状に傾斜する板状部材であり、紙幣の下面をガイドする。集積部側下側搬送ガイド４０Ｂは、ステージ１６Ｔに紙幣を集積する際の集積庫３０の状態である集積庫集積状態（図２及び図５）における集積庫後側壁３０Ｂの前側に設けられ、前方から後方へ向かうに連れて上方へ直線状に傾斜する板状部材であり、紙幣の後端部をガイドする。下側搬送ガイド屈曲部４０Ｃは、搬送路側下側搬送ガイド４０Ａと集積部側下側搬送ガイド４０Ｂとの間を湾曲するよう接続する板状部材である。集積部側下側搬送ガイド４０Ｂは、左右方向に沿って櫛歯状に形成されている。集積庫後側壁３０Ｂの櫛歯と下側搬送ガイド４０の集積部側下側搬送ガイド４０Ｂの櫛歯とは、集積庫集積状態において互いに噛み合うように配置されている。これにより下側搬送ガイド４０は、集積庫後側壁３０Ｂを該下側搬送ガイド４０の集積部側下側搬送ガイド４０Ｂの後側から前側まで通過させる。
【００３９】
下側搬送ガイド４０の集積部側下側搬送ガイド４０Ｂにおいて上側搬送ガイド６２と対向する上面には、後方から前方へ向かうに連れて上方へ直線状に傾斜する平面である下側搬送ガイド面４０Ｓが形成されている。この下側搬送ガイド面４０Ｓは、搬送される紙幣の下面と対向することにより紙幣をガイドする。また下側搬送ガイド屈曲部４０Ｃにおいて上側搬送ガイド６２及び集積空間１６Ｓと対向する上面には、湾曲する面である下側搬送ガイド屈曲部面４０Ｅが形成されている。この下側搬送ガイド屈曲部面４０Ｅは、下側搬送ガイド４０のうち、集積空間１６Ｓに放出される紙幣が最後に接触する箇所となる。
【００４０】
このように上側搬送ガイド６２及び下側搬送ガイド４０は、紙幣の紙面と対向する上側搬送ガイド面６２Ｓ及び下側搬送ガイド面４０Ｓをそれぞれ有しており、互いの搬送ガイド面の間に紙幣の搬送路である集積部搬送路４３を形成している。
【００４１】
ステージ１６Ｔは、後述するサイドガイド７０と対向する位置において、該サイドガイド７０から離隔する方向である後方へ凹設された凹み部が形成されることにより前端部が左右方向に沿って櫛歯状に形成されており、サイドガイド７０及び後述する出金口搬送ガイド下側案内部７２と互いに接触しないよう噛み合っている。またステージ１６Ｔは、後端部が左右方向に沿って櫛歯状に形成されており、後述する上側搬送ガイド６２、放出部上側ガイド７４及び放出部ガイド７８と互いに接触しないよう噛み合っている。
【００４２】
集積庫３０に紙幣を集積する場合、集積庫３０は図２及び図５に示すように、集積庫フレーム４２と共に時計回りに回動し、ステージ１６Ｔは前端が後端よりも高くなるよう傾斜する集積庫集積状態となる。また、集積庫３０へ集積された紙幣束を束搬送ユニット３へ搬送する場合や束搬送ユニット３から紙幣束を受け取る場合、集積庫集積状態の集積庫３０は、図３及び図６に示すように集積庫フレーム４２と共に反時計回りに回動しステージ１６Ｔが水平な状態である集積庫水平状態となり、さらに図４及び図７に示すように集積庫フレーム４２と共に反時計回りに回動しステージ１６Ｔが束搬送ユニット３との間で受け渡す際のステージ受渡状態である束搬送受渡状態となる。このように集積部１６は、放出部１６Ｊから該集積庫３０へ紙幣を放出しステージ１６Ｔに集積させる際の集積庫３０の状態である集積庫集積状態と、紙幣束を集積部１６と束搬送ユニット３との間で受け渡す際の集積庫３０の状態である束搬送受渡状態とに、集積庫水平状態を介しステージ１６Ｔ及び集積庫３０を移行させる。
【００４３】
搬送ローラ４４及び受動ローラ４５ａは、上下一対であり、中心軸を左右方向に向けるようそれぞれ下側搬送ガイド４０及び上側搬送ガイド６２に回転可能に取り付けられている。受動ローラ４５ａは、弾性部材で形成された図示しないスプリング機構により搬送ローラ４４に向けて付勢されている。また搬送ローラ４４及び受動ローラ４５ａは、それぞれ下側搬送ガイド４０及び上側搬送ガイド６２に穿設された孔部からその周側面の一部を集積部搬送路４３側に露出させている。搬送ローラ４４及び受動ローラ４５ａは、図示しない駆動部により図中反時計回り及び時計回りにそれぞれ回転することにより、集積部搬送路４３で搬送された紙幣を挟持し放出部１６Ｊへ送り出す。この搬送ローラ４４及び受動ローラ４５ａは、図示しないノブを手動で操作されることによっても回転可能に構成されている。
【００４４】
放出部１６Ｊは、集積庫集積状態における集積空間１６Ｓの後方上側に設けられており、放出ローラ４６及び受動ローラ４５ｂにより構成されている。放出ローラ４６及び受動ローラ４５ｂは、中心軸を左右方向に向けるようそれぞれ下側搬送ガイド４０及び上側搬送ガイド６２に回転可能に取り付けられている。受動ローラ４５ｂは、弾性部材で形成された図示しないスプリング機構により放出ローラ４６に向けて付勢されている。また放出ローラ４６及び受動ローラ４５ｂは、それぞれ下側搬送ガイド４０及び上側搬送ガイド６２に穿設された孔部からその周側面の一部を集積部搬送路４３側に露出させている。放出ローラ４６及び受動ローラ４５ｂは、図示しない駆動部により図中反時計回り及び時計回りにそれぞれ回転することにより、集積部搬送路４３で搬送された紙幣を挟持し集積空間１６Ｓへ送り出す。放出ローラ４６の回転軸には、ゴム等の弾性部材で形成された舌片４６Ｚが設けられている。この舌片４６Ｚは、放出ローラ４６と共に反時計回りに回転することにより、集積空間１６Ｓへ送り出された紙幣の後端部分を、下方向へ向けて叩き落とす。この放出ローラ４６及び受動ローラ４５ｂは、図示しないノブを手動で操作されることによっても回転可能に構成されている。
【００４５】
放出部１６Ｊから集積庫３０へ紙幣を放出しステージ１６Ｔに集積させる際や、束搬送ユニット３からリジェクト収納庫１７へ紙幣束を受け渡す際に取込孔１７Ｈ（図１）を開放する上部ガイド前側状態において、図２及び図５に示すように、上部ガイド２２の下面側における、集積空間１６Ｓの後上側には、放出紙幣ガイド部６４が形成されている。放出紙幣ガイド部６４は、下端部が左右方向に沿って櫛歯状に形成されており、上側搬送ガイド６２の上端部と互いに接触しないよう噛み合っている。放出紙幣ガイド部６４において集積庫集積状態におけるステージ１６Ｔと対向する下前面には、該集積庫集積状態において上側搬送ガイド面６２Ｓとほぼ同様の角度を保ち、後方から前方へ向かうに連れて上方へ傾斜する放出紙幣ガイド面６４Ｓが形成されている。この放出紙幣ガイド面６４Ｓは、放出部１６Ｊから放出される紙幣の上側に形成されている。上部ガイド２２は、放出紙幣ガイド面６４Ｓで集積孔１６Ｈの上方を閉鎖させることにより、放出部１６Ｊから放出された紙幣が上方へ舞い上がることを防止し、ステージ１６Ｔ上に安定的に集積させる。
【００４６】
また、集積庫集積状態（図５）においては、放出部１６Ｊから集積空間１６Ｓへ向かって紙幣が放出されるため、放出部１６Ｊと集積空間１６Ｓとの間には、紙幣の放出を妨げる機構を配置することはできない。このため、放出部１６Ｊの放出ローラ４６の前方と、集積受渡状態における集積庫後側壁３０Ｂの上端部と、上側搬送ガイド６２の前端部との間には、放出部前側空間ＳＪＢが形成されている。
【００４７】
図２及び図５に示すように、集積庫前側壁３０Ｆの内側には、ステージ１６Ｔの板面に直交する方向に対し上端部が前方へ離隔するよう傾斜して延在するビルストッパ４８が取り付けられている。ビルストッパ４８は、左右方向に紙幣の長辺方向の長さよりもやや短い間隔を空けて２本設けられており、放出部１６Ｊから取り込まれた紙幣が該ビルストッパ４８に衝突した際の衝撃を吸収することにより、放出部１６Ｊから斜行して放出された紙幣（スキュー紙幣）の斜行状態を矯正しステージ１６Ｔにおける正常な集積位置である正常集積位置に整列させる。これにより集積部１６は、スキュー紙幣を整列して集積することができる。
【００４８】
集積部１６内には、集積庫３０、ステージ１６Ｔ及び上部ガイド２２を駆動する駆動力を発生させる駆動モータ（図示せず）が設けられている。集積庫３０は、駆動モータが発生させた駆動力を、該駆動モータの出力軸と接続された集積部駆動伝達機構（図示せず）から左右一対の移動アーム５８を介し伝達されることで回動する。ステージ１６Ｔは、駆動モータが発生させた駆動力を、移動アーム５８を介し伝達されることで昇降移動する。また上部ガイド２２は、駆動モータが発生させた駆動力を、該駆動モータの出力軸と接続されたガイド駆動伝達機構（図示せず）から伝達されることで駆動する。
【００４９】
上部ガイド２２は、該上部ガイド２２の後端近傍に上部ガイドギア（図示せず）が設けられており、ガイド駆動伝達機構から伝達された駆動力を、該上部ガイドギアにより前後方向の駆動力に変換し、水平方向に沿って、集積孔１６Ｈを開放させる後方向である開口開放方向としての集積孔開放方向と、集積孔１６Ｈを閉鎖させる前方向である開口閉鎖方向としての集積孔閉鎖方向とに往復移動する。この上部ガイドギアは、トルクリミッタが内蔵されており、ステージ１６Ｔから束搬送ユニット３へ紙幣束を受け渡す際に集積孔１６Ｈ（図１）を開放する上部ガイド後側状態にある上部ガイド２２が前方に向かって移動する際にステージ１６Ｔの上部ガイド当接ローラ８６（図示せず）に当接し前方への移動が規制された場合や、上部ガイド後側状態にある上部ガイド２２にさらに後方に向かって移動する駆動力が加わった場合、該トルクリミッタが空転することにより、駆動モータからの駆動力を遮断する。
【００５０】
このように集積庫３０、ステージ１６Ｔ及び上部ガイド２２は、図示しない駆動モータの駆動力により、互いに連動して可動する。
【００５１】
集積庫３０において、集積庫フレーム４２の集積庫フレーム溝４２Ｇに挿入される位置と、移動アーム５８のステージ案内溝６０に挿入される位置とには、円筒形状のローラ５５が固定されている。また集積庫フレーム４２の後端には、円筒形状でなるローラ５６が固定されている。
【００５２】
集積庫３０の左右外側には、板状の集積庫フレーム４２が設けられている。この集積庫フレーム４２は、図示しない駆動モータ及び移動アーム５８により、図中時計回り及び反時計回りに回動可能に構成されている。集積庫フレーム４２には、ステージ１６Ｔが移動する方向である上下方向に沿ったステージ移動方向に沿って集積庫フレーム溝４２Ｇが直線的に穿設されている。集積庫フレーム溝４２Ｇには、ローラ５５が摺動可能に挿入されている。これによりステージ１６Ｔは、ステージ移動方向である、図３及び図４中の上方向及び下方向に直線的に往復移動可能に構成されている。以下では、放出部１６Ｊから集積庫３０へ紙幣を放出し紙幣を集積させるステージ１６Ｔの状態をステージ集積状態とも呼び、束搬送ユニット３に紙幣束を受け渡す際のステージ１６Ｔの状態をステージ受渡状態とも呼ぶ。
【００５３】
集積庫フレーム４２の左右外側には、移動アーム５８が設けられている。この移動アーム５８は、図示しない駆動モータにより、移動アーム支点３８を支点として図中時計回り及び反時計回りに回動可能に構成されている。以下では、集積庫フレーム４２を集積庫集積状態から集積庫水平状態へ向かって昇降移行回動方向Ｒｔｌ（右側面視反時計回り）へ回動させ且つステージ１６Ｔを持上方向へ移動させる際の図３中時計回りの移動アーム５８の回動方向を、昇降移行駆動方向Ｒｄｌとも呼ぶ。また、ステージ１６Ｔを持下方向へ移動させ且つ集積庫フレーム４２を集積庫水平状態から集積庫集積状態へ向かって集積移行回動方向Ｒｔｓ（右側面視時計回り）へ回動させる際の図２中反時計回りの移動アーム５８の回動方向を、集積移行駆動方向Ｒｄｓとも呼ぶ。移動アーム５８には集積庫フレーム案内溝５９とステージ案内溝６０が形成されている。集積庫フレーム案内溝５９は、側面視で略Ｌ字形状であり、該集積庫フレーム案内溝５９に対し当接しつつ回転するようローラ５６が挿入されている。
【００５４】
ステージ案内溝６０は、集積庫フレーム案内溝５９の前方に配され、側面視で該集積庫フレーム案内溝５９を９０度回転させたような略Ｌ字形状であり、ローラ５５が挿入されている。
【００５５】
［１−５．紙幣整位機構の構成］
集積部１６には、ステージ１６Ｔ上に載置された紙幣の位置ずれを修正すると共に抑止することで整列状態を維持し、正常な位置に紙幣を保つ紙幣整位機構６８が設けられている。紙幣整位機構６８は、サイドガイド７０及び出金口搬送ガイド下側案内部７２からなる前側ガイド６８Ｆと、放出部上側ガイド７４及び放出部ガイド７８からなる後側ガイド６８Ｂとにより構成されている。
【００５６】
［１−５−１．サイドガイドの構成］
集積庫水平状態（図３及び図６）におけるステージ１６Ｔの前方、すなわちステージ１６Ｔに対し放出部１６Ｊとは逆側には、上下方向に延設された棒状部材である３本のサイドガイド７０が可動しないよう設けられている。サイドガイド７０は、集積庫水平状態においてステージ１６Ｔ及びビルストッパ４８と互いに接触しないように噛み合っている。このサイドガイド７０は、集積庫集積状態から集積庫水平状態に向かってステージ１６Ｔが回動する際に遠心力によって前方に向かって移動した紙幣の前端部に当接することにより、該紙幣の前方への移動を禁止し正常集積位置の前端部よりも後方に紙幣を配置させる。
【００５７】
［１−５−２．出金口搬送ガイド下側案内部の構成］
出金口搬送ガイド２４の後端部には、下方向に向かって突設する出金口搬送ガイド下側案内部７２が形成されている。出金口搬送ガイド下側案内部７２は、下端部の下側が左右方向に沿って櫛歯状に形成されており、サイドガイド７０の上端部と、ステージ１６Ｔと互いに接触しないよう噛み合っている。ステージ１６Ｔが上昇する際に紙幣が前方に位置ずれすると、該紙幣は、出金口搬送ガイド下側案内部７２に前端部が当接しつつ上昇する。このため出金口搬送ガイド下側案内部７２は、位置ずれした紙幣の前端に接触しそれ以上の前方への移動を防ぎつつステージ１６Ｔにより上昇させる。
【００５８】
［１−５−３．放出部上側ガイドの構成］
上側搬送ガイド６２の上側には、上昇する紙幣の後端部をガイドする複数の板状の放出部上側ガイド７４が固定されている。放出部上側ガイド７４は、互いに左右方向に間隔を空けて複数配置されることにより、全体として左右方向に沿って櫛歯状に形成されており、上部ガイド２２の放出紙幣ガイド部６４と互いに接触しないよう噛み合っている。放出部上側ガイド７４においてステージ１６Ｔと対向する前下面には、後方から前方へ向かうに連れて上方へ傾斜してから湾曲する放出部上側ガイド面７４Ｓが形成されている。ステージ１６Ｔが上昇する際に紙幣が後方に位置ずれすると、該紙幣は、重力方向に対し傾斜した放出部上側ガイド面７４Ｓに後端部が下から上に向かって当接しつつ上昇する。このため放出部上側ガイド７４は、位置ずれした紙幣を前方に寄せて位置を矯正しつつステージ１６Ｔにより上昇させる。
【００５９】
［１−５−４．放出部ガイドの構成］
上側搬送ガイド６２の前端部には、上昇する紙幣の後端部をガイドする側面視で略三角形状である複数の板状の放出部ガイド７８が設けられている。放出部ガイド７８は、互いに左右方向に間隔を空けて４個配置されることにより、全体として左右方向に沿って離散的に形成されており、集積庫水平状態（図６）において集積庫後側壁３０Ｂの上端部と互いに接触しないよう噛み合っている。
【００６０】
図６に示す交差姿勢における放出部ガイド７８においてステージ１６Ｔ（図６）と対向する前面には、上下方向に直線状に沿う平面である放出部ガイド前面７８Ｓ１が形成されている。この放出部ガイド前面７８Ｓ１は、正常集積位置に集積され上昇する紙幣束の移動経路の後端部よりも後方に形成されていると共に、集積庫後側壁３０Ｂの紙幣整列面とほぼ面一か、該紙幣整列面よりも僅かに前方に形成されている。これにより放出部ガイド７８は、後端部が紙幣整列面に沿って上昇してきた紙幣の後端部が、放出部ガイド前面７８Ｓ１に引っ掛かることを防止し、紙幣束をスムーズに上昇させることができる。
【００６１】
交差姿勢（図６）における放出部ガイド７８において下側搬送ガイド４０と対向する下面には、後方から前方へ向かうに連れて下方へ直線状に傾斜する平面である放出部ガイド下面７８Ｓ２が形成されている。また放出部ガイド７８は、放出部ガイド前面７８Ｓ１における下端部と放出部ガイド下面７８Ｓ２における前端部との角が取られ、放出部ガイド角部面７８Ｓ３が形成されている。放出部ガイド下面７８Ｓ２は、放出部ガイド７８が交差姿勢となっている状態で、放出部１６Ｊから放出される紙幣の移動経路よりも上方に位置するように形成されている。この放出部ガイド下面７８Ｓ２の反時計回り方向側である退避回動方向Ｒｈ側の端部には、放出部ガイド下面退避方向側端部７８Ｅ１が形成されている。また放出部ガイド下面７８Ｓ２の時計回り方向側である交差回動方向Ｒｓ側の端部には、放出部ガイド下面交差方向側端部７８Ｅ２が形成されている。
【００６２】
図８に示すように放出部ガイド７８は、上側搬送ガイド６２における放出部上側ガイド７４の前端部に設けられたガイド部材回動軸としての放出部ガイド回動軸８２を支点として回動可能に構成され、弾性部材で形成された図示しないスプリング機構により図中反時計回りである退避回動方向Ｒｈ（図５）に付勢されていると共に、図示しない接触部が上側搬送ガイド６２における図示しない回動規制部に当接することによりその付勢が所定の位置で規制されている。放出部ガイド７８は、図９に示すように、放出部ガイド前面７８Ｓ１が上側搬送ガイド６２の上側搬送ガイド面６２Ｓよりも集積空間離隔側（後側）に位置し集積空間１６Ｓの外部に位置する退避姿勢と、図１０に示すように、放出部ガイド前面７８Ｓ１が上側搬送ガイド６２の上側搬送ガイド面６２Ｓよりも集積空間近接側（前側）に位置し集積空間１６Ｓの内部に位置することにより、放出部１６Ｊから放出される紙幣の搬送経路と交差する交差姿勢との間を回動する。以下では、退避姿勢から交差姿勢に向かう図中時計回りの回動方向を交差移動方向としての交差回動方向Ｒｓとも呼び、交差姿勢から退避姿勢に向かう図中反時計回りの回動方向を退避移動方向としての退避回動方向Ｒｈとも呼ぶ。放出部ガイド７８における上端部には、回転可能な放出部ガイドローラ８０が設けられている。放出部ガイド７８は、退避姿勢（図５）において上側搬送ガイド６２の上端部よりも上方へ放出部ガイドローラ８０の上端部を位置させている。
【００６３】
図５に示すように、上部ガイド２２の下面側において、放出部ガイド７８の放出部ガイドローラ８０と前後方向に対向する位置には、上部ガイド傾斜面２２Ｓ及び上部ガイド水平面２２Ｈが形成されている。上部ガイド水平面２２Ｈは、上部ガイド２２の前端から後方に向かって水平方向に沿って延設された平面である。上部ガイド傾斜面２２Ｓは、上部ガイド水平面２２Ｈの後端部から、前方から後方へ向かうに連れて水平方向から上方へ傾斜する平面である。上部ガイド前側状態（図５）において上部ガイド２２は、放出部ガイド７８の放出部ガイドローラ８０と上部ガイド傾斜面２２Ｓとを前後方向に対向させている。この上部ガイド２２は、上部ガイド傾斜面２２Ｓを放出部ガイドローラ８０に当接させつつ集積孔開放方向へ移動することにより、退避姿勢にある放出部ガイド７８を交差回動方向Ｒｓに向かって回動させる。
【００６４】
放出部ガイド７８は、交差姿勢（図６）において上側搬送ガイド面６２Ｓよりも退避回動方向Ｒｈ側（上側）へ放出部ガイド下面退避方向側端部７８Ｅ１を位置させており、該放出部ガイド下面退避方向側端部７８Ｅ１が集積部搬送路４３に露出しないように退避させている。これにより放出部ガイド下面７８Ｓ２は、上側搬送ガイド面６２Ｓと側面視で交差した状態となる。また放出部ガイド７８は、退避姿勢（図５）において上側搬送ガイド面６２Ｓよりも退避回動方向Ｒｈ側（上側）へ放出部ガイド前面７８Ｓ１及び放出部ガイド角部面７８Ｓ３を位置させており、該放出部ガイド前面７８Ｓ１及び放出部ガイド角部面７８Ｓ３が集積空間１６Ｓに露出しないように退避させている。また放出部ガイド７８は、交差姿勢（図６）において放出部ガイド下面７８Ｓ２と下側搬送ガイド面４０Ｓとの間に空間を空けている。これにより放出部ガイド７８は、集積部搬送路４３から搬送された紙幣を放出部ガイド下面７８Ｓ２により案内しながら集積空間１６Ｓへ移動可能にしている。
【００６５】
ここで、交差姿勢（図８）において放出部ガイド下面７８Ｓ２と上側搬送ガイド面６２Ｓとが側面視で交差する箇所における該放出部ガイド下面７８Ｓ２と該上側搬送ガイド面６２Ｓとの、紙幣の進行方向（後方）側の角度である退避側角度Θ１は、９０度未満、すなわち鋭角に設定されている。これを換言すれば、交差姿勢において放出部ガイド下面７８Ｓ２と上側搬送ガイド面６２Ｓとがなす紙幣の進行方向の逆側の角度は、９０度以上、すなわち鈍角に設定されている。このため、上側搬送ガイド面６２Ｓに沿って搬送された紙幣は、該紙幣の先端が放出部ガイド下面７８Ｓ２に当接した際に９０度未満の角度で搬送方向が変化する。
【００６６】
また、交差姿勢（図８）において放出部ガイド下面７８Ｓ２に沿う接線である放出部ガイド下面接線Ｔ１とステージ面１６ＴＳとが交差する箇所における、該放出部ガイド下面接線Ｔ１と該ステージ面１６ＴＳとがなす紙幣の進行方向の逆側の角度である交差側角度Θ２は、９０度未満、すなわち鋭角に設定されている。これを換言すれば、交差姿勢における放出部ガイド下面７８Ｓ２とステージ面１６ＴＳとなす紙幣の進行方向側の角度は、９０度以上、すなわち鈍角に設定されている。このため、放出部ガイド下面７８Ｓ２に沿って搬送された紙幣は、該紙幣の先端がステージ面１６ＴＳに当接した際に９０度未満の角度で搬送方向が変化する。
【００６７】
さらに、交差姿勢（図８）において放出部ガイド下面交差方向側端部７８Ｅ２と下側搬送ガイド屈曲部面４０Ｅとの接線である搬送ガイド放出部ガイド接線Ｔ２とステージ面１６ＴＳとが交差する箇所における、該搬送ガイド放出部ガイド接線Ｔ２と該ステージ面１６ＴＳとがなす紙幣の進行方向の逆側の角度である交差側角度Θ３は、９０度未満、すなわち鋭角に設定されている。これを換言すれば、交差姿勢における搬送ガイド放出部ガイド接線Ｔ２とステージ面１６ＴＳとがなす紙幣の進行方向側の角度は、９０度以上、すなわち鈍角に設定されている。このため、それぞれ下面が下側搬送ガイド屈曲部面４０Ｅに、上面が放出部ガイド下面交差方向側端部７８Ｅ２に当接しつつ搬送された紙幣は、該紙幣の先端がステージ面１６ＴＳに当接した際に９０度未満の角度で搬送方向が変化する。この交差側角度Θ３は、集積部１６の構造上、交差側角度Θ２よりも小さいものとなる。この退避側角度Θ１、交差側角度Θ２及び交差側角度Θ３は、極力小さい方が望ましく、実際には３０度程度に設計されている。
【００６８】
［１−６．集積部の動作］
かかる構成において集積部１６は、集積庫３０に紙幣を集積する集積動作を行う際、制御部４の制御に基づき、図２及び図５に示したように、集積庫３０を集積庫集積状態に、ステージ１６Ｔをステージ集積状態に、上部ガイド２２を上部ガイド前側状態にする。この状態において放出部ガイド７８は、放出部ガイドローラ８０が上部ガイド水平面２２Ｈには当接していないため、退避姿勢となっている。
【００６９】
続いて集積部１６は放出ローラ４６を回転させることにより、集積部搬送路４３から搬送された紙幣を集積空間１６Ｓへ放出する。続いて集積部１６は、ビルストッパ４８に衝突した紙幣の後端部分を舌片４６Ｚで集積庫底板３０Ｄに叩き落とすことにより、後続の紙幣が集積空間１６Ｓへ送り出される前にステージ１６Ｔに紙幣を集積する。このときステージ１６Ｔが集積庫フレーム４２と共に後下がりに傾いているため、集積部１６は、複数の紙幣の後端が下側搬送ガイド４０に当接することにより後端が揃った状態で上下方向に重なるよう紙幣を集積させる。
【００７０】
紙幣がステージ１６Ｔに集積されることにより集積動作が終了すると、集積部１６は、駆動モータを回転させることにより、移動アーム支点３８を軸として図３及び図６に示すように移動アーム５８を昇降移行駆動方向Ｒｄｌへ回動させる。また、集積庫集積状態から集積庫水平状態へ集積庫３０を回動させる際、集積部１６は、駆動モータの駆動力により、移動アーム５８の回動と連動させて、集積孔１６Ｈを開放する集積孔開放方向へ上部ガイド２２を移動させる。
【００７１】
このとき移動アーム５８は、集積庫フレーム案内溝５９に沿ってローラ５６を摺動させつつ回動することにより、昇降移行回動方向Ｒｔｌへ向かって集積庫フレーム４２を回動させ、図３及び図６に示す集積庫水平状態にする。このとき、集積庫後側壁３０Ｂが下側搬送ガイド４０の集積部側下側搬送ガイド４０Ｂを後方から前方に向かって追い越すことにより、複数の紙幣は、後端が集積庫後側壁３０Ｂの内壁面に当接し、後端が鉛直に沿って揃った状態となる。この状態においては、集積庫３０は集積庫水平状態に、ステージ１６Ｔはステージ集積状態に、上部ガイド２２は上部ガイド後側状態になっている。
【００７２】
このように集積部１６は、ステージ１６Ｔを後下がりに傾斜させ紙幣を集積すると共に、下側搬送ガイド４０を後方から前方に向かって追い越すよう集積庫後側壁３０Ｂを回動させるようにした。このため集積部１６は、集積庫３０内部の後方に寄った状態で紙幣束を集積することができる。
【００７３】
またこのとき上部ガイド２２は、上部ガイド傾斜面２２Ｓを放出部ガイド７８の放出部ガイドローラ８０に当接させつつ後方に移動した後、上部ガイド水平面２２Ｈを放出部ガイドローラ８０に当接させた状態で停止する。このため放出部ガイド７８は、放出部ガイドローラ８０が上部ガイド傾斜面２２Ｓに当接して押し下げられることにより、放出部ガイド回動軸８２を軸として交差回動方向Ｒｓへ回動し、交差姿勢となる。
【００７４】
続いて集積部１６は、駆動モータを回転させることにより、図４に示すように移動アーム支点３８を軸として移動アーム５８を昇降移行駆動方向Ｒｄｌへさらに回動させる。このとき移動アーム５８は、ステージ案内溝６０に沿ってローラ５５を摺動させつつ回動することにより、集積庫フレーム溝４２Ｇに沿ってローラ５５を摺動させつつ持上方向に向かってステージ１６Ｔを移動させ、図４に示すステージ受渡状態にする。
【００７５】
このステージ受渡状態において、ステージ１６Ｔの上面、出金口搬送ガイド２４の上面及び上部ガイド２２の上面が互いに同じ高さに揃うため、集積部１６は、ステージ１６Ｔに集積された紙幣束Ｗを、形状を崩すことなく束搬送ユニット３へ受け渡すことができる。この状態においては、集積庫３０は束搬送受渡状態に、ステージ１６Ｔはステージ受渡状態に、上部ガイド２２は上部ガイド後側状態になっている。
【００７６】
ここで、紙幣が上昇する際、サイドガイド７０は、正常集積位置よりも前側へ移動した紙幣の前端部に後面を当接させることにより、それ以上の前方への移動を防ぎつつステージ１６Ｔにより紙幣束Ｗを上昇させる。また出金口搬送ガイド下側案内部７２は、サイドガイド７０の後面の上端よりも上側に位置した紙幣束Ｗに対し、正常集積位置よりも前側へ移動した紙幣の前端部に後面を当接させることにより、それ以上の前方への移動を防ぎつつステージ１６Ｔにより紙幣束Ｗを上昇させる。
【００７７】
また放出部ガイド７８は、正常集積位置よりも後側へ移動した紙幣の後端部に放出部ガイド前面７８Ｓ１を当接させることにより、位置ずれした紙幣を前方に寄せて位置を矯正しつつステージ１６Ｔにより上昇させる。また放出部上側ガイド７４は、放出部ガイド前面７８Ｓ１の上端よりも上側に位置した紙幣束に対し、正常集積位置よりも後側へ移動した紙幣の後端部に放出部上側ガイド面７４Ｓを当接させることにより、位置ずれした紙幣を前方に寄せて位置を矯正しつつステージ１６Ｔにより上昇させる。
【００７８】
続いて紙幣出金機１（図１）は、紙幣束を集積部１６から束搬送ユニット３へ受け渡し、上側搬送ベルト２１を前方へ走行させると共に、集積孔１６Ｈの上部の束搬送路３Ｙから出金口２６へ水平方向に沿って出金方向へ可動キャリア２５を移動させることにより、該紙幣束をステージ１６Ｔから出金方向へ搬送する。
【００７９】
［１−７．残留紙幣回収作業］
かかる構成において、図９に示すように集積庫集積状態において紙幣が集積部搬送路４３に残留するエラーが発生した際に、保守員が図示しないノブを操作するより前に上部ガイド２２を手動で上部ガイド前側状態から後方へ移動させ上部ガイド後側状態とすると、上部ガイド２２に連動して放出部ガイド７８が図１０に示す交差姿勢となる。この状態で保守員がノブを操作し手動で搬送ローラ４４、放出ローラ４６、受動ローラ４５ａ及び受動ローラ４５ｂを回転させ残留紙幣ＢＬｒを集積空間１６Ｓへ搬送させると、残留紙幣ＢＬｒの搬送方向先端が放出部ガイド下面７８Ｓ２に突き当たる。このとき退避側角度Θ１が鋭角に設定されているため、図１１に示すように残留紙幣ＢＬｒは搬送方向先端が放出部ガイド下面７８Ｓ２に当接しながら、９０度未満の角度で搬送方向が変化して放出部ガイド下面７８Ｓ２にガイドされつつステージ１６Ｔへ向かって案内される。
【００８０】
さらに保守員が搬送ローラ４４、放出ローラ４６及び受動ローラ４５ａ及び受動ローラ４５ｂを回転させ残留紙幣ＢＬｒを集積空間１６Ｓへ搬送させると、残留紙幣ＢＬｒの搬送方向先端がステージ面１６ＴＳに突き当たる。このとき交差側角度Θ２及び交差側角度Θ３が鋭角に設定されているため、図１２に示すように残留紙幣ＢＬｒは搬送方向先端がステージ面１６ＴＳに当接しながら、９０度未満の角度で搬送方向が変化してステージ面１６ＴＳにガイドされつつビルストッパ４８へ向かって案内される。さらに保守員が搬送ローラ４４及び放出ローラ４６を回転させると、残留紙幣ＢＬｒは放出ローラ４６及び受動ローラ４５ｂを抜け、図１３に示すようにステージ１６Ｔに集積される。残留紙幣ＢＬｒがステージ１６Ｔに集積されると、保守員は集積空間１６Ｓから残留紙幣ＢＬｒを回収する。
【００８１】
［１−８．効果］
以上の構成において集積部１６は、正常集積位置よりも後側において、集積庫後側壁３０Ｂの上端からステージ１６Ｔにおけるステージ受渡状態までに亘って、連続的な面である放出部ガイド前面７８Ｓ１及び放出部上側ガイド面７４Ｓが形成されるよう、放出部ガイド７８及び放出部上側ガイド７４を設けるようにした。
【００８２】
これにより集積部１６は、紙幣束の位置ずれを抑止することにより、紙幣が放出部前側空間ＳＪＢ又は放出ローラ４６と受動ローラ４５ｂとの間（すなわち集積部搬送路４３）に入り込んでしまったり、紙幣が放出部前側空間ＳＪＢ又は集積部搬送路４３に入り込んだままステージ１６Ｔが上昇してしまい該ステージ１６Ｔと集積部搬送路４３との間に紙幣束が挟み込まれてしまったり、紙幣が放出部前側空間ＳＪＢに入り込んで集積空間１６Ｓから後方へ落下してしまったりすることを防止しつつ、放出部ガイド７８を、束搬送ユニット３へ紙幣束を案内する案内面として機能させ、紙幣束の整列状態を保ったまま該紙幣束をステージ１６Ｔから束搬送路３Ｙに受け渡すことができる。
【００８３】
また集積部１６は、集積庫集積状態において放出部ガイド７８を退避姿勢とした。これにより集積部１６は、集積庫集積状態において放出部１６Ｊから紙幣を放出する際に、放出部ガイド７８が該紙幣に干渉しないようにできる。
【００８４】
また集積部１６は、交差姿勢において放出部１６Ｊから搬送される残留紙幣ＢＬｒをステージ１６Ｔへ案内する放出部ガイド下面７８Ｓ２を放出部ガイド７８に形成するようにした。さらに集積部１６は、退避側角度Θ１及び交差側角度Θ２を鋭角に設定するようにした。このため集積部１６は、上側搬送ガイド面６２Ｓに沿って搬送された残留紙幣ＢＬｒを、該残留紙幣ＢＬｒの先端が放出部ガイド下面７８Ｓ２に当接した際に９０度未満の角度で搬送方向を変化させると共に、放出部ガイド下面７８Ｓ２に沿って搬送された残留紙幣ＢＬｒを、該残留紙幣ＢＬｒの先端がステージ面１６ＴＳに当接した際に９０度未満の角度で搬送方向を変化させることができる。これにより集積部１６は、集積部搬送路４３からステージ１６Ｔまでの残留紙幣ＢＬｒの搬送経路を急激に屈曲することなく滑らかにし、残留紙幣ＢＬｒの搬送方向先端を放出部ガイド下面７８Ｓ２及びステージ面１６ＴＳに当接させながら該残留紙幣ＢＬｒをステージ１６Ｔに案内できる。
【００８５】
これにより集積部１６は、交差姿勢において残留紙幣ＢＬｒが集積部搬送路４３から集積空間１６Ｓに向かって搬送されたとしても、集積部搬送路４３から集積空間１６Ｓへ残留紙幣ＢＬｒを案内する案内面として放出部ガイド７８の放出部ガイド下面７８Ｓ２を機能させることにより、放出部ガイド下面７８Ｓ２と上側搬送ガイド面６２Ｓとの間や放出部ガイド下面７８Ｓ２とステージ面１６ＴＳとの間に残留紙幣ＢＬｒが詰まってしまうことを防止し、エラー発生時にジャムを発生させずに残留紙幣ＢＬｒを集積部搬送路４３からステージ１６Ｔへ移動させ、除去させることができる。かくして集積部１６は、保守員の復旧作業による紙幣破れや放出部ガイド７８の破損を防止ができる。
【００８６】
また集積部１６は、交差側角度Θ３を鋭角に設定するようにした。このため集積部１６は、こしのある残留紙幣ＢＬｒが、それぞれ上面が放出部ガイド下面交差方向側端部７８Ｅ２に、下面が下側搬送ガイド屈曲部面４０Ｅに当接しつつ搬送方向先端がステージ面１６ＴＳに当接したとしても、該残留紙幣ＢＬｒをビルストッパ４８側へ案内できる。
【００８７】
このように集積部１６は、放出部前側空間ＳＪＢや集積部搬送路４３に紙幣束が入り込むことを防止するといった通常の放出部ガイド７８の機能を放出部ガイド前面７８Ｓ１により実現しつつ、エラー発生時の残留紙幣ＢＬｒを除去する際にジャムを発生させずに除去することができるといった機能を放出部ガイド下面７８Ｓ２により実現できる。
【００８８】
以上の構成によれば紙幣出金機１は、紙葉状の媒体としての紙幣を収納する紙幣収納庫１１と、紙幣収納庫１１から搬送された紙幣を集積する集積部１６と、集積部１６に集積された媒体束としての紙幣束を搬送して利用者に引き渡す束搬送ユニット３とを設け、集積部１６は、紙幣を集積する集積空間１６Ｓが内部に形成される集積庫３０と、紙幣収納庫１１から搬送された紙幣を集積空間１６Ｓへ放出する放出部１６Ｊと、放出部１６Ｊから放出された紙幣を集積するステージ１６Ｔと、ステージ１６Ｔに集積された紙幣束を束搬送ユニット３へ受け渡すよう該ステージ１６Ｔを移動させる移動アーム５８と、集積空間１６Ｓに紙幣を放出する際、放出部１６Ｊから放出される紙幣の経路から退避する退避姿勢と、ステージ１６Ｔに集積された紙幣束を束搬送ユニット３へ受け渡す際、紙幣の経路と交差すると共に、紙幣束を束搬送ユニット３へ案内する第１の案内面としての放出部ガイド前面７８Ｓ１と、放出部１６Ｊから搬送される紙幣をステージ１６Ｔへ案内する第２の案内面としての放出部ガイド下面７８Ｓ２とを形成する交差姿勢とに遷移可能な放出部ガイド７８とを有するようにした。
【００８９】
これにより紙幣出金機１は、放出部ガイド７８が交差姿勢の状態で放出部１６Ｊから集積空間１６Ｓへ紙幣が搬送された際に該紙幣が詰まってしまうことを防止し、ステージ１６Ｔに集積させることができる。
【００９０】
［２．第２の実施の形態］
［２−１．紙幣出金機及び集積部の構成］
図１に示すように第２の実施の形態による紙幣出金機１０１は、第１の実施の形態による紙幣出金機１と比べて、集積部１６に代えて集積部１１６が設けられているものの、それ以外は同様に構成されている。図８と対応する部材に同一符号を付した図１４に示すように、第２の実施の形態による集積部１１６は、第１の実施の形態による集積部１６と比べて、放出部ガイド７８に代えて放出部ガイド１７８が設けられているものの、それ以外は同様に構成されている。
【００９１】
［２−２．放出部ガイドの構成］
放出部ガイド１７８は、放出部ガイド７８（図８）と比べて、放出部ガイド下面１７８Ｓ２の形状が放出部ガイド下面７８Ｓ２と異なっている。放出部ガイド下面１７８Ｓ２は、放出部ガイド回動軸８２を中心とした円弧形状に形成されている。この放出部ガイド下面１７８Ｓ２の退避回動方向Ｒｈ側の端部には、放出部ガイド下面退避方向側端部１７８Ｅ１が形成されている。また放出部ガイド下面１７８Ｓ２の交差回動方向Ｒｓ側の端部には、放出部ガイド下面交差方向側端部１７８Ｅ２が形成されている。
【００９２】
ここで、交差姿勢（図１４）において放出部ガイド下面１７８Ｓ２と上側搬送ガイド面６２Ｓとが側面視で交差する箇所における、放出部ガイド下面１７８Ｓ２の接線である放出部ガイド下面接線Ｔ１１と上側搬送ガイド面６２Ｓとがなす紙幣の進行方向側の角度である退避側角度Θ１１は、９０度未満、すなわち鋭角に設定されている。これを換言すれば、交差姿勢（図１４）において放出部ガイド下面１７８Ｓ２と上側搬送ガイド面６２Ｓとがなす紙幣の進行方向の逆側の角度は、９０度以上、すなわち鈍角に設定されている。このため、上側搬送ガイド面６２Ｓに沿って搬送された紙幣は、該紙幣の先端が放出部ガイド下面１７８Ｓ２に当接した際に９０度未満の角度で搬送方向が変化する。
【００９３】
また、交差姿勢（図１４）において放出部ガイド下面接線Ｔ１１とステージ面１６ＴＳとがなす紙幣の進行方向の逆側の角度である交差側角度Θ１２は、９０度未満、すなわち鋭角に設定されている。これを換言すれば、交差姿勢（図１４）において放出部ガイド下面接線Ｔ１１とステージ面１６ＴＳとなす紙幣の進行方向側の角度は、９０度以上、すなわち鈍角に設定されている。このため、放出部ガイド下面１７８Ｓ２に沿って搬送された紙幣は、該紙幣の先端がステージ面１６ＴＳに当接した際に９０度未満の角度で搬送方向が変化する。
【００９４】
さらに、交差姿勢（図１４）において放出部ガイド下面１７８Ｓ２と下側搬送ガイド屈曲部面４０Ｅとの接線である搬送ガイド放出部ガイド接線Ｔ１２と、ステージ面１６ＴＳとがなす紙幣の進行方向の逆側の角度である交差側角度Θ１３は、９０度未満、すなわち鋭角に設定されている。これを換言すれば、交差姿勢（図１４）において搬送ガイド放出部ガイド接線Ｔ１２とステージ面１６ＴＳとがなす紙幣の進行方向側の角度は、９０度以上、すなわち鈍角に設定されている。このため、それぞれ下面が下側搬送ガイド屈曲部面４０Ｅに、上面が放出部ガイド下面１７８Ｓ２に当接しつつ搬送された紙幣は、該紙幣の先端がステージ面１６ＴＳに当接した際に９０度未満の角度で搬送方向が変化する。この交差側角度Θ１３は、集積部１１６の構造上、交差側角度Θ１２よりも小さいものとなる。この退避側角度Θ１１、交差側角度Θ１２及び交差側角度Θ１３は、極力小さいほうが望ましく、実際には３０度程度に設計されている。
【００９５】
ここで、残留紙幣回収作業において保守員が上部ガイド２２を手動で後方へ移動させる際に、上部ガイド後側状態になる前に途中で止める場合がある。そのような場合、第１の実施の形態による放出部ガイド７８が退避姿勢とならずに、図１５に示すような、退避姿勢と交差姿勢との間に位置する途中姿勢となる場合がある。その場合、退避側角度Θ１、交差側角度Θ２及び交差側角度Θ３は、第１の実施の形態において説明した場合よりも大きくなってしまい、集積部１６は、集積部搬送路４３から集積空間１６Ｓへ残留紙幣ＢＬｒを案内しにくくなってしまう。
【００９６】
これに対し集積部１１６は、放出部ガイド回動軸８２を中心とした円弧形状に放出部ガイド下面１７８Ｓ２を形成するようにした。このため集積部１１６は、図１４に交差姿勢を、図１６に退避姿勢をそれぞれ示すように、放出部ガイド７８の位置に関わらず、退避側角度Θ１１及び交差側角度Θ１２を一定にできる。これにより集積部１１６は、集積部１６と比べ、上部ガイド２２の位置、すなわち放出部ガイド７８の回動位置に関わらず、残留紙幣ＢＬｒを集積部搬送路４３からステージ１６Ｔへ一層安定的に案内できる。その他第２の実施の形態による集積部１１６は、第１の実施の形態による集積部１６と同様の作用効果を奏する。
【００９７】
［３．他の実施の形態］
なお上述した第１の実施の形態においては、退避側角度Θ１、交差側角度Θ２及び交差側角度Θ３の全てを鋭角にする場合について述べた。本発明はこれに限らず、退避側角度Θ１、交差側角度Θ２及び交差側角度Θ３の少なくとも何れか１つが鋭角であれば良い。その場合、集積部搬送路４３を搬送された残留紙幣ＢＬｒは放出部ガイド下面７８Ｓ２にまず当接するため、少なくとも退避側角度Θ１は鋭角であることが望ましい。第２の実施の形態においても同様である。
【００９８】
また上述した第２の実施の形態においては、放出部ガイド下面１７８Ｓ２を、放出部ガイド回動軸８２を中心とする円弧形状とする場合について述べた。本発明はこれに限らず、放出部１６Ｊからステージ１６Ｔへ前下方に向かうに連れて該放出部１６Ｊから前方へ離隔するよう湾曲する形状等、集積部搬送路４３を搬送された残留紙幣ＢＬｒをステージ１６Ｔまで案内可能な他の種々の形状であっても良い。また、放出部ガイド下面７８Ｓ２及び１７８Ｓ２の表面に、紙幣が滑り易くなるような表面処理を施しても良い。
【００９９】
さらに上述した実施の形態においては、回動することにより退避姿勢と交差姿勢とに放出部ガイド７８及び１７８が変位する場合について述べた。本発明はこれに限らず、平行移動等、種々の移動方法により退避姿勢と交差姿勢とに放出部ガイド７８及び１７８が変位しても良い。その場合も、移動する上部ガイド２２に当接することにより退避姿勢と交差姿勢とに変位することが望ましい。
【０１００】
さらに上述した実施の形態においては、上部ガイド２２を前後移動させる駆動モータの駆動力を流用して放出部ガイド７８及び１７８を回動させる場合について述べた。本発明はこれに限らず、放出部ガイド７８及び１７８を回動させる駆動力を駆動モータ以外に別途設けても良い。
【０１０１】
さらに上述した実施の形態においては、紙幣を出金する紙幣出金機１及び１０１に本発明を適用する場合について述べた。本発明はこれに限らず、例えば種々の金券や証券、或いは各種チケットなど、紙葉状の媒体を収納しておき、これを利用者に引き渡す種々の装置に適用しても良い。
【０１０２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１０３】
さらに上述した実施の形態においては、媒体収納庫としての紙幣収納庫１１と、集積庫としての集積庫３０と、放出部としての放出部１６Ｊと、ステージとしてのステージ１６Ｔと、駆動機構としての移動アーム５８と、ガイド部材としての放出部ガイド７８又は１７８とを有する集積部としての集積部１６又は１１６と、束搬送部としての束搬送ユニット３とによって、媒体引渡装置としての紙幣出金機１又は１０１を構成する場合について述べた。本発明はこれに限らず、その他種々の構成でなる媒体収納庫と、集積庫と、放出部と、ステージと、駆動機構と、ガイド部材とを有する集積部と、束搬送部とによって、媒体引渡装置を構成しても良い。
【０１０４】
さらに上述した実施の形態においては、集積庫としての集積庫３０と、放出部としての放出部１６Ｊと、ステージとしてのステージ１６Ｔと、駆動機構としての移動アーム５８と、ガイド部材としての放出部ガイド７８又は１７８とを有する集積部としての集積部１６又は１１６と、束搬送部としての束搬送ユニット３とによって、媒体集積受渡機構としての集積部１６又は１１６を構成する場合について述べた。本発明はこれに限らず、その他種々の構成でなる集積庫と、放出部と、ステージと、駆動機構と、ガイド部材とによって、媒体集積受渡機構を構成しても良い。
【産業上の利用可能性】
【０１０５】
本発明は、例えば着脱可能な紙幣収納庫に紙幣を収納しておき、利用者の操作に応じこの紙幣を出金する紙幣出金機でも利用できる。
【符号の説明】
【０１０６】
１、１０１……紙幣出金機、２……収納ユニット、３……束搬送ユニット、３Ｙ……束搬送路、４……制御部、１０……収納筐体、１１……紙幣収納庫、１３……搬送部、１４……鑑別部、１６、１１６、２１６……集積部、１６Ｊ……放出部、１６Ｓ……集積空間、１６Ｔ……ステージ、１６ＴＳ……ステージ面、１６Ｈ……集積孔、１７……リジェクト収納庫、１７Ｈ……取込孔、２０……束搬送筐体、２１……上側搬送ベルト、２２……上部ガイド、２２Ｓ……上部ガイド傾斜面、２２Ｈ……上部ガイド水平面、２４……出金口搬送ガイド、２５……可動キャリア、２６……出金口、３０……集積庫、３０Ｆ……集積庫前側壁、３０Ｂ……集積庫後側壁、３０Ｄ……集積庫底板、３８……移動アーム支点、４０……下側搬送ガイド、４０Ｓ……下側搬送ガイド面、４０Ｅ……下側搬送ガイド屈曲部面、４０Ａ……搬送路側下側搬送ガイド、４０Ｂ……集積部側下側搬送ガイド、４０Ｃ……下側搬送ガイド屈曲部、４２……集積庫フレーム、４２Ｇ……集積庫フレーム溝、４２Ｓ……集積庫フレーム支点、４３……集積部搬送路、４４……搬送ローラ、４５ａ、４５ｂ……受動ローラ、４６……放出ローラ、４６Ｚ……舌片、４８……ビルストッパ、５５……ローラ、５６……ローラ、５８……移動アーム、５９……集積庫フレーム案内溝、６０……ステージ案内溝、６２……上側搬送ガイド、６２Ｓ……上側搬送ガイド面、６４……放出紙幣ガイド部、６４Ｓ……放出紙幣ガイド面、６８……紙幣整位機構、６８Ｂ……後側ガイド、６８Ｆ……前側ガイド、７０……サイドガイド、７２……出金口搬送ガイド下側案内部、７４……放出部上側ガイド、７４Ｓ……放出部上側ガイド面、７８、１７８、２７８……放出部ガイド、７８Ｓ１、２７８Ｓ１……放出部ガイド前面、７８Ｓ２、１７８Ｓ２……放出部ガイド下面、７８Ｓ３……放出部ガイド角部面、７８Ｅ１……放出部ガイド下面退避方向側端部、７８Ｅ２……放出部ガイド下面交差方向側端部、８０……放出部ガイドローラ、８２……放出部ガイド回動軸、Ｔ１、Ｔ１１……放出部ガイド下面接線、Ｔ２、Ｔ１２……搬送ガイド放出部ガイド接線、Θ１、Θ１１……退避側角度、Θ２、Θ１２……交差側角度、Θ３、Θ１３……交差側角度、ＳＪＢ……放出部前側空間、Ｒｔｓ……集積移行回動方向、Ｒｔｌ……昇降移行回動方向、Ｒｄｓ……集積移行駆動方向、Ｒｄｌ……昇降移行駆動方向、Ｒｈ……退避回動方向、Ｒｓ……交差回動方向、Ｗ……紙幣束、ＢＬｒ……残留紙幣。
【図１】
2018088070.tif 000003
【図２】
2018088070.tif 000004
【図３】
2018088070.tif 000005
【図４】
2018088070.tif 000006
【図５】
2018088070.tif 000007
【図６】
2018088070.tif 000008
【図７】
2018088070.tif 000009
【図８】
2018088070.tif 000010
【図９】
2018088070.tif 000011
【図１０】
2018088070.tif 000012
【図１１】
2018088070.tif 000013
【図１２】
2018088070.tif 000014
【図１３】
2018088070.tif 000015
【図１４】
2018088070.tif 000016
【図１５】
2018088070.tif 000017
【図１６】
2018088070.tif 000018
【図１７】
2018088070.tif 000019
【図１８】
2018088070.tif 000020
【図１９】
2018088070.tif 000021
【図２０】
2018088070.tif 000022
【図２１】
2018088070.tif 000023
【図２２】
2018088070.tif 000024